(57)【要約】【課題】ネットワークテレビジョン受信機において、受信したコンテンツのレーティング・レベルが、工場出荷時に想定しなかったレーティング・レベルである場合でも、ユーザが、そのレーティング・レベルの種類に応じた個別の視聴年齢制限の設定を行うことを可能にする。【解決手段】受信したコンテンツのレーティング・レベルが、工場出荷時に想定しなかったレーティング・レベルである場合でも、ユーザが、ユーザレーティングロック設定画面５１とリモコンとを用いて、その（想定しなかった）レーティング・レベルの種類に応じた個別の視聴年齢制限の設定を行うことができるようにした。これにより、受信したコンテンツのレーティング・レベルの中に、工場出荷時に想定しなかったレーティング・レベルが含まれる場合でも、ユーザから、製造メーカに対して種々のクレームが寄せられることを防ぐことができる。【選択図】図５
2012049742.tif 000002
【特許請求の範囲】
【請求項１】
動画のコンテンツを配信する動画配信用サーバとネットワークを介して接続され、
複数の一般的なレーティグ・レベルと、これらのレーティグ・レベルに対応する視聴年齢制限情報とを格納した一般レーティグテーブルと、
前記動画配信用サーバから送信されたコンテンツ、及び送信されたコンテンツに関するコンテンツ情報を受信する受信手段と、
前記受信手段により受信したコンテンツ情報から、受信したコンテンツのレーティング・レベルを抽出するレーティング・レベル抽出手段と、
前記レーティング・レベル抽出手段により抽出されたレーティング・レベルと同じレーティング・レベルが、前記一般レーティグテーブルに格納されているときに、このレーティング・レベルについての視聴年齢制限情報を前記一般レーティグテーブルから読み取る視聴年齢制限情報読取手段と、
前記視聴年齢制限情報読取手段により読み取った視聴年齢制限情報に基づいて、前記受信手段により受信した前記コンテンツについての視聴年齢制限処理を行う視聴年齢制限手段とを備えたネットワークテレビジョン受信機において、
前記一般レーティグテーブルに格納されていないレーティング・レベルと、このレーティグ・レベルに対応する視聴年齢制限情報とを格納するためのユーザレーティグテーブルと、
前記レーティング・レベル抽出手段により抽出されたレーティング・レベルと同じレーティング・レベルが、前記一般レーティグテーブルと前記ユーザレーティグテーブルのいずれかに格納されているか否かを判定するレーティング・レベル格納判定手段と、
前記レーティング・レベル格納判定手段により、前記レーティング・レベル抽出手段により抽出されたレーティング・レベルと同じレーティング・レベルが、前記一般レーティグテーブルと前記ユーザレーティグテーブルのいずれにも格納されていないと判定されたときに、このレーティング・レベルに対応する視聴年齢制限情報をユーザに設定させるためのユーザレーティグ情報設定手段とをさらに備え、
前記ユーザレーティグテーブルに格納されたレーティング・レベルと視聴年齢制限情報とは、前記レーティング・レベル格納判定手段により前記格納されていないと判定されたときのレーティング・レベルと、このレーティング・レベルについて前記ユーザレーティグ情報設定手段により設定された視聴年齢制限情報とであり、
前記視聴年齢制限情報読取手段は、前記レーティング・レベル抽出手段により抽出されたレーティング・レベルと同じレーティング・レベルが、前記一般レーティグテーブルに格納されていないときに、このレーティング・レベルについての視聴年齢制限情報を前記ユーザレーティグテーブルから読み取るようにしたことを特徴とするネットワークテレビジョン受信機。
【請求項２】
前記レーティング・レベル格納判定手段により、前記レーティング・レベル抽出手段により抽出されたレーティング・レベルと同じレーティング・レベルが、前記一般レーティグテーブルと前記ユーザレーティグテーブルのいずれにも格納されていないと判定されたときに、前記レーティング・レベル抽出手段により抽出されたレーティング・レベルのデータが、文字に相当するコードのデータのみから構成されているか否かを判定する文字判定手段をさらに備え、
前記文字判定手段により文字に相当するコードのデータのみから構成されていると判定されたときに、前記レーティング・レベル抽出手段により抽出されたレーティング・レベルを、前記ユーザレーティグテーブルにそのまま記憶させるようにしたことを特徴とする請求項１に記載のネットワークテレビジョン受信機。
【請求項３】
前記文字判定手段により文字に相当するコードのデータのみから構成されていないと判定されたときに、前記レーティング・レベル抽出手段により抽出されたレーティング・レベルに対応する仮の名前のレーティング・レベルを、前記ユーザレーティグテーブルに記憶させるようにしたことを特徴とする請求項２に記載のネットワークテレビジョン受信機。
【請求項４】
前記受信手段は、前記コンテンツ情報を、前記動画配信用サーバから、ＸＭＬ（ｅＸｔｅｎｓｉｂｌｅ  Ｍａｒｋｕｐ  Ｌａｎｇｕａｇｅ）ドキュメント又はＨＴＭＬ（ＨｙｐｅｒＴｅｘｔ  Ｍａｒｋｕｐ  Ｌａｎｇｕａｇｅ）ドキュメントの形式で受信することを特徴とする請求項１乃至３のいずれか一項に記載のネットワークテレビジョン受信機。
【発明の詳細な説明】
【技術分野】
【０００１】
本発明は、動画のコンテンツを配信する動画配信用サーバとネットワークを介して接続されて、この動画配信用サーバから配信されたコンテンツを受信するネットワークテレビジョン受信機に係り、より詳細には、ペアレンタルロックの技術に関する。
【背景技術】
【０００２】
従来から、テレビジョン受像機やＤＶＤ（Ｄｉｇｉｔａｌ  Ｖｅｒｓａｔｉｌｅ  Ｄｉｓｃ）プレーヤ等の映像音声機器において、保護者が子供の視聴できるテレビ番組やコンテンツを制限する機能であるペアレンタルロック（視聴年齢制限）機能を有するものがある。この種の装置では、レーティグ・レベルに基づいてユーザの視聴年齢制限処理を行うものが多い。
【０００３】
一方、近年、インターネット等のネットワークを介して、動画のコンテンツを配信する動画配信サービスが広まっている。この動画配信サービスでは、動画配信サービス業者が有する動画配信用サーバが、ネットワークを介して、インターネットテレビジョン受像機等のネットワークテレビジョン受信機にコンテンツを送信（配信）する。
【０００４】
ところが、上記の動画配信サービスでは、テレビ番組や映画等の種々のタイプのコンテンツが配信され得るため、想定外のレーティング・レベルを持ったコンテンツや、新しいレーティング・レベルを持ったコンテンツが配信される可能性がある。これに対して、ネットワークテレビジョン受信機の側では、メーカが工場出荷時に想定しなかった（未知の）レーティング・レベルに基づいてユーザの視聴年齢制限処理を行うことはできなかった。このような場合の対応策として（受信したコンテンツのレーティング・レベルが、想定外のレーティング・レベルである場合に）、受信したコンテンツの視聴を無条件にブロックする（視聴不可にする）ことも可能であるが、メーカが工場出荷時に想定しなかった（未知の）レーティング・レベルが複数存在する場合には、ユーザが、それらの（未知の）レーティング・レベルに対して、レーティング・レベルの種類に応じた個別の対応を行うことはできなかった。このため、ユーザから、ネットワークテレビジョン受信機の製造メーカに対して種々のクレームが寄せられることが起こり得る。
【０００５】
ところで、ネットワークテレビジョン受信機の分野において、動画配信用サーバからネットワークテレビジョン受信機に送信されるコンテンツ情報の中に、レーティングに関する情報が含まれる点を開示した文献としては、下記の特許文献１乃至３が知られている。また、特許文献４には、テレビ番組及びこのテレビ番組に対応するコンテンツ情報を通信手段によって受信し、予め自機のＨＤＤに登録されている所定のキーワードが、受信したコンテンツ情報に含まれている場合には、コンテンツ情報に対応するテレビ番組をネットワークに接続された機器に非公開とするように設定するレコーダが開示されている。しかしながら、上記特許文献１乃至４の装置では、上記の問題を解消することはできない。
【先行技術文献】
【特許文献】
【０００６】
【特許文献１】特開２００９−１３５７７５号公報
【特許文献２】特開２００９−９３３５５号公報
【特許文献３】特開２００９−１７０１３号公報
【特許文献４】特開２００８−５９３８６号公報
【発明の概要】
【発明が解決しようとする課題】
【０００７】
本発明は、上記課題を解決するものであり、受信したコンテンツのレーティング・レベルが、本装置の製造メーカが工場出荷時に想定しなかったレーティング・レベルである場合でも、ユーザが、そのレーティング・レベルの種類に応じた個別の視聴年齢制限の設定を行うことが可能なネットワークテレビジョン受信機を提供することを目的とする。
【課題を解決するための手段】
【０００８】
上記課題を解決するために、請求項1の発明は、動画のコンテンツを配信する動画配信用サーバとネットワークを介して接続され、複数の一般的なレーティグ・レベルと、これらのレーティグ・レベルに対応する視聴年齢制限情報とを格納した一般レーティグテーブルと、前記動画配信用サーバから送信されたコンテンツ、及び送信されたコンテンツに関するコンテンツ情報を受信する受信手段と、前記受信手段により受信したコンテンツ情報から、受信したコンテンツのレーティング・レベルを抽出するレーティング・レベル抽出手段と、前記レーティング・レベル抽出手段により抽出されたレーティング・レベルと同じレーティング・レベルが、前記一般レーティグテーブルに格納されているときに、このレーティング・レベルについての視聴年齢制限情報を前記一般レーティグテーブルから読み取る視聴年齢制限情報読取手段と、前記視聴年齢制限情報読取手段により読み取った視聴年齢制限情報に基づいて、前記受信手段により受信した前記コンテンツについての視聴年齢制限処理を行う視聴年齢制限手段とを備えたネットワークテレビジョン受信機において、前記一般レーティグテーブルに格納されていないレーティング・レベルと、このレーティグ・レベルに対応する視聴年齢制限情報とを格納するためのユーザレーティグテーブルと、前記レーティング・レベル抽出手段により抽出されたレーティング・レベルと同じレーティング・レベルが、前記一般レーティグテーブルと前記ユーザレーティグテーブルのいずれかに格納されているか否かを判定するレーティング・レベル格納判定手段と、前記レーティング・レベル格納判定手段により、前記レーティング・レベル抽出手段により抽出されたレーティング・レベルと同じレーティング・レベルが、前記一般レーティグテーブルと前記ユーザレーティグテーブルのいずれにも格納されていないと判定されたときに、このレーティング・レベルに対応する視聴年齢制限情報をユーザに設定させるためのユーザレーティグ情報設定手段とをさらに備え、前記ユーザレーティグテーブルに格納されたレーティング・レベルと視聴年齢制限情報とは、前記レーティング・レベル格納判定手段により前記格納されていないと判定されたときのレーティング・レベルと、このレーティング・レベルについて前記ユーザレーティグ情報設定手段により設定された視聴年齢制限情報とであり、前記視聴年齢制限情報読取手段は、前記レーティング・レベル抽出手段により抽出されたレーティング・レベルと同じレーティング・レベルが、前記一般レーティグテーブルに格納されていないときに、このレーティング・レベルについての視聴年齢制限情報を前記ユーザレーティグテーブルから読み取るようにしたものである。
【０００９】
請求項２の発明は、請求項１に記載のネットワークテレビジョン受信機において、前記レーティング・レベル格納判定手段により、前記レーティング・レベル抽出手段により抽出されたレーティング・レベルと同じレーティング・レベルが、前記一般レーティグテーブルと前記ユーザレーティグテーブルのいずれにも格納されていないと判定されたときに、前記レーティング・レベル抽出手段により抽出されたレーティング・レベルのデータが、文字に相当するコードのデータのみから構成されているか否かを判定する文字判定手段をさらに備え、前記文字判定手段により文字に相当するコードのデータのみから構成されていると判定されたときに、前記レーティング・レベル抽出手段により抽出されたレーティング・レベルを、前記ユーザレーティグテーブルにそのまま記憶させるようにしたものである。
【００１０】
請求項３の発明は、請求項２に記載のネットワークテレビジョン受信機において、前記文字判定手段により文字に相当するコードのデータのみから構成されていないと判定されたときに、前記レーティング・レベル抽出手段により抽出されたレーティング・レベルに対応する仮の名前のレーティング・レベルを、前記ユーザレーティグテーブルに記憶させるようにしたものである。
【００１１】
請求項４の発明は、請求項１乃至３のいずれか一項に記載のネットワークテレビジョン受信機において、前記受信手段は、前記コンテンツ情報を、前記動画配信用サーバから、ＸＭＬ（ｅＸｔｅｎｓｉｂｌｅ  Ｍａｒｋｕｐ  Ｌａｎｇｕａｇｅ）ドキュメント又はＨＴＭＬ（ＨｙｐｅｒＴｅｘｔ  Ｍａｒｋｕｐ  Ｌａｎｇｕａｇｅ）ドキュメントの形式で受信するものである。
【発明の効果】
【００１２】
請求項１の発明によれば、受信したコンテンツのレーティング・レベルが、本装置の製造メーカが工場出荷時に想定しなかったレーティング・レベルである場合でも（一般レーティグテーブルに格納された一般的なレーティグ・レベルではない場合でも）、このレーティング・レベルに対応する視聴年齢制限情報をユーザに設定させるためのユーザレーティグ情報設定手段を設けたことにより、ユーザが、その（想定しなかった）レーティング・レベルの種類に応じた個別の視聴年齢制限の設定を行うことができる。これにより、受信したコンテンツのレーティング・レベルの中に、本装置の製造メーカが工場出荷時に想定しなかったレーティング・レベルが含まれる場合でも、ユーザから、ネットワークテレビジョン受信機の製造メーカに対して種々のクレームが寄せられることを防ぐことができる。
【００１３】
また、請求項２の発明によれば、受信したコンテンツのレーティング・レベルが、本装置の製造メーカが工場出荷時に想定しなかったレーティング・レベルである場合でも、このレーティング・レベルを、ユーザレーティグテーブルに容易に記憶させることができる。
【００１４】
また、請求項３の発明によれば、受信したコンテンツのレーティング・レベルが、本装置の製造メーカが工場出荷時に想定しなかったレーティング・レベルである場合に、受信したコンテンツ情報から抽出されたレーティング・レベルのデータが、文字に相当するコードのデータのみから構成されていないときでも、抽出されたレーティング・レベルに対応するレーティング・レベルを、ユーザレーティグテーブルに容易に記憶させることができる。
【図面の簡単な説明】
【００１５】
【図１】本発明の一実施形態に係るインターネットテレビジョン受像機の電気的ブロック構成図。
【図２】同インターネットテレビジョン受像機の一般レーティグテーブルに格納されるデータの例を示す図。
【図３】同インターネットテレビジョン受像機のユーザレーティグテーブルに格納されるデータの例を示す図。
【図４】同インターネットテレビジョン受像機の液晶パネルに表示されるペアレンタルロック設定画面を示す図。
【図５】同インターネットテレビジョン受像機の液晶パネルに表示されるユーザレーティングロック設定画面を示す図。
【図６】同インターネットテレビジョン受像機における視聴年齢制限（ペアレンタルロック）処理のフローチャート。
【発明を実施するための形態】
【００１６】
以下、本発明の一実施形態について、図面を参照して説明する。本実施形態では、本発明のネットワークテレビジョン受信機がインターネットテレビジョン受像機である場合の例について説明する。図１は、本実施形態によるインターネットテレビジョン受像機１０（以下、「インターネットＴＶ受像機」という）を含む動画配信システム１を示す。この動画配信システム１は、主に、動画配信サービス業者側に配されて動画のコンテンツを配信する動画配信用サーバ２と、この動画配信用サーバ２から配信されたコンテンツを受信して再生表示するインターネットＴＶ受像機１０とから構成されている。動画配信用サーバ２とインターネットＴＶ受像機１０とは、インターネット３（請求項におけるネットワーク）とルータ４とＬＡＮ（Ｌｏｃａｌ  Ａｒｅａ  Ｎｅｔｗｏｒｋ）５とを介して接続されている。
【００１７】
インターネットＴＶ受像機１０は、自機の主要な機能を実現するための各種回路を搭載した半導体チップであるＳｏＣ１１と、自機の設定データ等の各種データを記憶するＲＡＭ１２と、液晶モジュール１３と、ＬＶＤＳ（Ｌｏｗ  Ｖｏｌｔａｇｅ  Ｄｉｆｆｅｒｅｎｔｉａｌ  Ｓｉｇｎａｌｉｎｇ：低電圧差動信号処理方式）インタフェース１４（以下、ＬＶＤＳと略す）と、スピーカ１５と、リモートコントロール信号（以下、リモコン信号と略す）を受信するためのリモコン信号受信部１６とを備えている。また、インターネットＴＶ受像機１０は、ユーザからの指示操作に応じたリモコン信号を送信するリモートコントローラ（以下、リモコンと略す）１８を有している。主に、このリモコン１８と後述するユーザレーティングロック設定画面５１とが、請求項におけるユーザレーティグ情報設定手段に相当する。
【００１８】
上記のＬＶＤＳ１４は、ＳｏＣ１１から液晶モジュール１３への（コンテンツの）映像信号伝送用のディジタルインタフェース回路（ディジタル信号処理回路）である。
【００１９】
上記のＳｏＣ１１は、装置全体の制御を行うＣＰＵ２０（請求項におけるレーティング・レベル抽出手段、視聴年齢制限情報読取手段、視聴年齢制限手段、レーティング・レベル格納判定手段、及び文字判定手段）、送受信部２１（受信手段）、及びデコーダ２２等の回路を搭載している。送受信部２１は、インターネット３、ルータ４、ＬＡＮ５及びイーサネット（登録商標）コネクタ１０ａを介して、動画配信用サーバ２から送信されたコンテンツ、及び送信されたコンテンツに関するコンテンツ情報を受信する。デコーダ２２は、送受信部２１により受信したＭＰＥＧ形式のコンテンツの圧縮データをデコードして、映像信号と音声信号とを生成し、生成した映像信号をＬＶＤＳ１４を介して液晶モジュール１３に出力すると共に、生成した音声信号をスピーカ１５に出力する。
【００２０】
上記液晶モジュール１３は、主に、液晶パネルと、駆動用プリント基板と、バックライトから構成されており、ＳｏＣ１１からＬＶＤＳ１４を介して受信した映像信号に基づく映像を液晶パネルに表示する。
【００２１】
上記ＲＡＭ１２に格納されている設定データには、一般レーティグテーブル３１とユーザレーティグテーブル３２とが含まれる。図２に示されるように、一般レーティグテーブル３１には、複数の一般的なレーティグ・レベル３１ｂと、これらのレーティグ・レベル３１ｂに対応する視聴年齢制限情報３１ｃに加えて、各レーティグ・レベル３１ｂがどのようなタイプのコンテンツについてのレーティグ・レベルであるかを示すコンテンツタイプ３１ａが格納されている。また、図３に示されるように、ユーザレーティグテーブル３２には、一般レーティグテーブルに格納されていない（メーカが工場出荷時に想定しなかった）レーティング・レベル３２ａと、各レーティング・レベル３２ａに対応する視聴年齢制限情報３２ｂとが格納されている。視聴年齢制限情報３１ｃ及び視聴年齢制限情報３２ｂにおいて、”ＹＥＳ”は、「視聴年齢制限有り」を意味し、”ＮＯ”は、「視聴年齢制限なし」を意味する。
【００２２】
次に、このインターネットＴＶ受像機１０における視聴年齢制限（ペアレンタルロック）の設定用の画面について説明する。図４は、ペアレンタルロック設定画面４１を示す。このペアレンタルロック設定画面４１は、設定するペアレンタルロックの種類の選択用の画面である。図に示される「時間帯ロック」とは、時間帯で視聴を制限する（例えば、夜１０時以降における視聴を行う場合にはパスワード入力を要求する）というタイプのペアレンタルロックであり、「チャンネルロック」とは、特定のチャンネルの視聴を制限する（例えば、９チャンネルを視聴する場合にはパスワード入力を要求する）というタイプのペアレンタルロックである。また、「ＴＶレーティングロック」とは、テレビ（ＴＶ）番組用のペアレンタルロックであり、「ムービーレーティングロック」とは、映画用のペアレンタルロックである。また、「ユーザレーティングロック」とは、メーカが工場出荷時に想定しなかったレーティング・レベルについてのペアレンタルロックである。
【００２３】
ユーザは、ペアレンタルロック設定画面４１に表示された複数の種類のペアレンタルロックの中から、設定するペアレンタルロックの種類を、リモコン１８により選択する。ペアレンタルロック設定画面４１において選択されたペアレンタルロックの種類は、図４に示されるように強調表示（網掛け表示）される。この状態で、ユーザがリモコン１８の決定キー（不図示）を押すと、液晶モジュール１３の液晶パネルに表示される画面は、選択されたペアレンタルロックの種類に応じた視聴年齢制限の設定用の画面に遷移する。例えば、図４に示されるように、「（７）ユーザレーティングロック」が強調表示（網掛け表示）された状態で、ユーザがリモコン１８の決定キーを押すと、液晶モジュール１３の液晶パネルに表示される画面は、図５に示される「ユーザレーティングロック」の設定用画面（ユーザレーティングロック設定画面５１）に遷移する。
【００２４】
図５に示されるユーザレーティングロック設定画面５１は、メーカが工場出荷時に想定しなかったレーティング・レベルについての視聴年齢制限を設定するための画面である。図に示されるチェックボックス５２、５３は、それぞれレーティング・レベル「ＵＲ」と「レーティング・レベル１」とについての視聴年齢制限設定用のチェックボックスである。図に示される例では、チェックボックス５２がチェックされていないので、レーティング・レベル「ＵＲ」については、「視聴年齢制限なし」に設定される。一方、チェックボックス５３がチェックされているので、レーティング・レベル「レーティング・レベル１」については、「視聴年齢制限有り」に設定される。また、ユーザレーティングロック設定画面５１における設定内容は、上記のユーザレーティグテーブル３２における視聴年齢制限情報３２ｂに反映される。すなわち、図５に示されるチェックボックス５２、５３の設定を更新することにより、ユーザレーティグテーブル３２における視聴年齢制限情報３２ｂの内容を更新することができる。
【００２５】
なお、図４に示される各種のペアレンタルロックのうち、（７）ユーザレーティングロック以外のペアレンタルロックの種類を選択した場合にも、選択したペアレンタルロックの種類に対応したロック設定画面が表示される。例えば、ユーザが、（３）ＴＶレーティングロックをリモコン１８により選択した場合には、テレビ（ＴＶ）番組用の各レーティング・レベルについての視聴年齢制限を設定するための画面が表示され、ユーザが、（４）ムービーレーティングロックをリモコン１８により選択した場合には、映画用の各レーティング・レベルについての視聴年齢制限を設定するための画面が表示される。また、これらの設定画面における設定内容は、上記の一般レーティグテーブル３１における視聴年齢制限情報３１ｃに反映される。
【００２６】
次に、このインターネットＴＶ受像機１０における視聴年齢制限（ペアレンタルロック）処理について、図６を参照して説明する。インターネットＴＶ受像機１０の送受信部２１が、インターネット３、ルータ４、ＬＡＮ５及びイーサネット（登録商標）コネクタ１０ａを介して、動画配信用サーバ２から、コンテンツと、このコンテンツに関するＸＭＬ（ｅＸｔｅｎｓｉｂｌｅ  Ｍａｒｋｕｐ  Ｌａｎｇｕａｇｅ）ドキュメント形式のコンテンツ情報とを受信すると（Ｓ１）、インターネットＴＶ受像機１０のＣＰＵ２０は、受信したＸＭＬドキュメント形式のコンテンツ情報から、受信したコンテンツのレーティング・レベルを抽出して（Ｓ２）、抽出したレーティング・レベルを（一時的に）ＲＡＭ１２に格納する（Ｓ３）。
【００２７】
次に、ＣＰＵ２０は、上記Ｓ３で格納したレーティング・レベルが既知であるか否かを確認する（Ｓ４）。具体的には、ＣＰＵ２０は、上記Ｓ３で格納したレーティング・レベルと同じレーティング・レベルが、一般レーティグテーブル３１とユーザレーティグテーブル３２のいずれかに既に格納されているか否かを判定する。そして、この判定の結果、いずれかのテーブル３１、３２に既に格納されていると判定した場合は（Ｓ４でＹＥＳ）、ＣＰＵ２０は、このレーティング・レベルについての視聴年齢制限情報を、一般レーティグテーブル３１又はユーザレーティグテーブル３２から読み取り、読み取った視聴年齢制限情報に基づき、上記Ｓ１で受信したコンテンツについて、上記Ｓ２で抽出したレーティング・レベルに応じた視聴年齢制限処理を行う（Ｓ５）。
【００２８】
具体的には、ＣＰＵ２０は、上記Ｓ３で格納したレーティング・レベルが、図２に示される一般レーティグテーブル３１と図３に示されるユーザレーティグテーブル３２のいずれかに格納されている場合には、このレーティング・レベルについての視聴年齢制限情報３１ｃ又は３２ｂを、一般レーティグテーブル３１又はユーザレーティグテーブル３２から読み取る。視聴年齢制限情報の読み取りの順番としては、一般レーティグテーブル３１の視聴年齢制限情報３１ｃの方を先に読み取る。すなわち、ＣＰＵ２０は、上記Ｓ３で格納した（上記Ｓ２で抽出した）レーティング・レベルと同じレーティング・レベルが、一般レーティグテーブル３１に格納されていないときに、このレーティング・レベルについての視聴年齢制限情報をユーザレーティグテーブル３２から読み取る。そして、読み取った視聴年齢制限情報３１ｃ又は３２ｂが、”ＹＥＳ”（視聴年齢制限有り）の場合には、ＣＰＵ２０は、パスワード入力画面を表示してユーザ（視聴者）にパスワードの入力を促し、ユーザが正しいパスワードを入力しなかった場合には（ユーザが視聴年齢に達しておらず、パスワードを教えてもらっていない場合には）、デコーダ２２から映像信号と音声信号を出力しないようにする。これにより、視聴年齢に達しないユーザ（視聴者）が、上記Ｓ１で受信したコンテンツを視聴できないようにする。
【００２９】
これに対して、ユーザが正しいパスワードを入力した場合（ユーザが視聴年齢に達しており、パスワードを知っている場合）や、読み取った視聴年齢制限情報３１ｃ又は３２ｂが、”ＮＯ”（視聴年齢制限なし）の場合には、ＣＰＵ２０は、パスワード入力画面を表示せず、デコーダ２２から映像信号と音声信号を出力する。これにより、視聴年齢に達しているユーザ（視聴者）が、上記Ｓ１で受信したコンテンツを視聴できるようにする。
【００３０】
ＣＰＵ２０は、上記Ｓ３で格納したレーティング・レベルと同じレーティング・レベルが、一般レーティグテーブル３１とユーザレーティグテーブル３２のいずれにも格納されていない（既知ではない）と判定した場合は（Ｓ４でＮＯ）、このレーティング・レベルに対応する視聴年齢制限情報をユーザに設定させるための準備処理を行う。具体的には、ＣＰＵ２０は、受信した（コンテンツ情報に含まれる想定外の）レーティング・レベルを保存することを液晶モジュール１３の液晶パネルにＯＳＤ表示する（Ｓ６）。そして、ＣＰＵ２０は、上記Ｓ２で抽出したレーティング・レベルのデータが、文字列として保存可能か否か（文字に相当するコードのデータのみから構成されているか否か）を判定する（Ｓ７）。
【００３１】
上記の判定の結果、文字列として保存可能である（文字に相当するコードのデータのみから構成されている）場合には（Ｓ７でＹＥＳ）、ＣＰＵ２０は、上記Ｓ２で抽出したレーティング・レベルを、ユーザレーティグテーブル３２にそのまま記憶させる。すなわち、ユーザレーティングロック設定画面５１における表示項目として（表示用のレーティング・レベルのデータ（ユーザレーティグテーブル３２のレーティング・レベル３２ａ）として）、上記Ｓ２で抽出したレーティング・レベルの文字列を保存する（Ｓ８）。例えば、上記Ｓ２で抽出したレーティング・レベルが、図５に示される「ＵＲ」であった場合には、このレーティング・レベルのデータが、文字列として保存可能である（文字に相当するコードのデータのみから構成されている）ので、ＣＰＵ２０は、このレーティング・レベル（「ＵＲ」）を、ユーザレーティングロック設定画面５１における表示項目として（レーティング・レベル３２ａとして）、ユーザレーティグテーブル３２に記憶させる。
【００３２】
上記Ｓ７における判定の結果、文字列として保存可能でない（文字に相当するコードのデータのみから構成されていない）場合には（Ｓ７でＮＯ）、ＣＰＵ２０は、上記Ｓ２で抽出したレーティング・レベルに対応する仮の名前のレーティング・レベルを、ユーザレーティグテーブル３２に記憶させる（Ｓ９）。この場合の仮の名前としては、例えば、図５に示される「レーティング・レベル１」があげられる。
【００３３】
上記のように、本実施形態のインターネットＴＶ受像機１０によれば、受信したコンテンツのレーティング・レベルが、本装置の製造メーカが工場出荷時に想定しなかったレーティング・レベルである場合でも（一般レーティグテーブル３１に格納された一般的なレーティグ・レベル３１ａではない場合でも）、ユーザが、ユーザレーティングロック設定画面５１とリモコン１８とを用いて、その（想定しなかった）レーティング・レベルの種類に応じた個別の視聴年齢制限の設定を行うことができる。これにより、受信したコンテンツのレーティング・レベルの中に、インターネットＴＶ受像機１０の製造メーカが工場出荷時に想定しなかったレーティング・レベルが含まれる場合でも、ユーザから、インターネットＴＶ受像機１０の製造メーカに対して種々のクレームが寄せられることを防ぐことができる。
【００３４】
また、本実施形態のインターネットＴＶ受像機１０によれば、受信したコンテンツのレーティング・レベルが、インターネットＴＶ受像機１０の製造メーカが工場出荷時に想定しなかったレーティング・レベルである場合でも、このレーティング・レベルのデータが、文字に相当するコードのデータのみから構成されている場合には、このレーティング・レベルを、ユーザレーティグテーブル３２に容易に記憶させることができる。
【００３５】
また、本実施形態のインターネットＴＶ受像機１０によれば、受信したコンテンツのレーティング・レベルが、インターネットＴＶ受像機１０の製造メーカが工場出荷時に想定しなかったレーティング・レベルである場合に、受信したコンテンツ情報から抽出されたレーティング・レベルのデータが、文字に相当するコードのデータのみから構成されていないときでも、抽出されたレーティング・レベルに対応するレーティング・レベルを、ユーザレーティグテーブル３２に容易に記憶させることができる。
【００３６】
なお、本発明は、上記実施形態の構成に限られず、発明の趣旨を変更しない範囲で種々の変形が可能である。例えば、上記実施形態では、本発明をインターネットＴＶ受像機に適用した場合の例を示したが、本発明を、モニタとは別体のインターネットＴＶ受信機に適用してもよいし、インターネット以外の他のネットワークを介して動画配信用サーバに接続されるネットワークテレビジョン受信機に適用してもよい。また、上記実施形態では、インターネットＴＶ受像機が、コンテンツ情報を、動画配信用サーバから、ＸＭＬドキュメントの形式で受信する場合の例を示したが、コンテンツ情報を、動画配信用サーバから、ＨＴＭＬ（ＨｙｐｅｒＴｅｘｔ  Ｍａｒｋｕｐ  Ｌａｎｇｕａｇｅ）ドキュメントの形式で受信する場合にも、本発明を適用可能である。さらにまた、上記Ｓ２で抽出したレーティング・レベルのデータが、文字列として保存可能でない場合における仮の名前の命名規則は、上記のレーティング・レベル１〜レーティング・レベルｎに限られない。
【００３７】
また、上記実施形態では、読み取った視聴年齢制限情報３１ｃ又は３２ｂが、”ＹＥＳ”（視聴年齢制限有り）の場合に、パスワード入力画面を表示してユーザ（視聴者）にパスワードの入力を促し、ユーザが、正しいパスワードを入力した場合に限り、デコーダ２２から映像信号と音声信号を出力するようにしたが、読み取った視聴年齢制限情報が、”ＹＥＳ”（視聴年齢制限有り）の場合に、無条件に、デコーダから映像信号と音声信号を出力しないようにしてもよい。本発明のネットワークテレビジョン受信機が、子供の部屋に置かれている場合には、このような視聴年齢制限の方法をとっても、差し支えない。
【符号の説明】
【００３８】
２    動画配信用サーバ
３    インターネット（ネットワーク）
１８  リモコン（ユーザレーティグ情報設定手段）
２０  ＣＰＵ（レーティング・レベル抽出手段、視聴年齢制限情報読取手段、視聴年齢制限手段、レーティング・レベル格納判定手段、文字判定手段）
２１  送受信部（受信手段）
３１  一般レーティグテーブル
３２  ユーザレーティグテーブル
５１  ユーザレーティングロック設定画面（ユーザレーティグ情報設定手段）
【図１】
2012049742.tif 000003
【図２】
2012049742.tif 000004
【図３】
2012049742.tif 000005
【図４】
2012049742.tif 000006
【図５】
2012049742.tif 000007
【図６】
2012049742.tif 000008